(57)【要約】【課題】フロアーノイズが変化した場合においても、ユーザの近接を正確に検知する携帯端末及び近接センサを提供する。【解決手段】センサ制御部２５０は、制御部１８０から発着信情報が入力されるたびに、発光部２１０に電流を供給して発光させる。このとき、センサ制御部２５０は、ＡＤ変換部２３０から出力された電流値に応じて、閾値記憶部２４０の閾値を更新する。センサ制御部２５０は、ＡＤ変換部２３０から出力された電流値と、閾値記憶部２４０から読み出した閾値との大小比較を行い、比較結果に基づいて、ユーザの近接を検知する。【選択図】図２
2013118565.tif 000002
【特許請求の範囲】
【請求項１】
電流の供給を受けて光を出射する発光手段と、
前記発光手段によって出射され、物体によって反射された光を受光し、受光した光量に応じた電流を発生する受光手段と、
自端末からの発信を示す発信情報を取得した場合、前記受光手段によって発生した電流値との比較の対象となる閾値を前記電流値に応じて更新し、更新した前記閾値と前記電流値との大小比較を行い、比較結果に基づいて、ユーザの近接を検知するセンサ制御手段と、
を具備する携帯端末。
【請求項２】
電流の供給を受けて光を出射する発光手段と、
前記発光手段によって出射され、物体によって反射された光を受光し、受光した光量に応じた電流を発生する受光手段と、
自端末への着信を示す着信情報を取得した場合、前記受光手段によって発生した電流値との比較の対象となる閾値を前記電流値に応じて更新し、更新した前記閾値と前記電流値との大小比較を行い、比較結果に基づいて、ユーザの近接を検知するセンサ制御手段と、
を具備する携帯端末。
【請求項３】
電流の供給を受けて光を出射する発光手段と、
前記発光手段によって出射され、物体によって反射された光を受光し、受光した光量に応じた電流を発生する受光手段と、
携帯端末からの発信又は前記携帯端末への着信を示す発着信情報を取得した場合、前記受光手段によって発生した電流値との比較の対象となる閾値を前記電流値に応じて更新し、更新した前記閾値と前記電流値との大小比較を行い、比較結果に基づいて、ユーザの近接を検知するセンサ制御手段と、
を具備する近接センサ。
【発明の詳細な説明】
【技術分野】
【０００１】
本発明は、ユーザの近接を検知する携帯端末及び近接センサに関する。
【背景技術】
【０００２】
近年、液晶タッチパネル（以下、単に「タッチパネル」という）を搭載した携帯端末、特に、スマートフォンと呼ばれる携帯端末が急速に普及している。タッチパネルを搭載した携帯端末で通話する際、タッチパネルにユーザが顔を接すると、ユーザが意図しない入力指示が誤って行われてしまうおそれがある。
【０００３】
そこで、このような誤動作を防止するため、タッチパネルに近づくユーザの顔を検出する近接センサを携帯端末に搭載し、通話中に近接センサがユーザの顔を検出すると、タッチパネルの機能をオフにして、ユーザからの入力指示の受付を停止している。なお、通話中であっても、近接センサがユーザの顔を検出しない場合、及び、通話が終了した場合には、タッチパネルの機能をオンにして、ユーザからの入力指示を受付可能とする。
【０００４】
このように、携帯端末に近づくユーザを検出する技術として、特許文献１に開示の技術が知られている。特許文献１には、通話中及び各種機能操作時に距離センサから赤外線を発射し、ユーザから反射波を受けるまでの時間を計測し、携帯端末とユーザとの間の距離を判断する技術が開示されている。
【先行技術文献】
【特許文献】
【０００５】
【特許文献１】特開平９−２４７２６０号公報
【発明の概要】
【発明が解決しようとする課題】
【０００６】
しかしながら、上述した特許文献１に開示の技術では、携帯端末内部での赤外線の内部反射（フロアーノイズ）を考慮して、反射波を受光していると想定されるが、携帯端末の使用に伴って、赤外線の照射経路にずれが生じることがあり、この場合、フロアーノイズが変化するため、携帯端末とユーザとの間の距離を正確に判断できなくなるという問題がある。
【０００７】
フロアーノイズが変化する要因としては、工場出荷前の調整工程での様々な外的要因、内部構造の経年変化、高反射及び低反射の差分、保護シート貼付等のユーザカスタマイズなどが挙げられる。
【０００８】
本発明の目的は、フロアーノイズが変化した場合においても、ユーザの近接を正確に検知する携帯端末及び近接センサを提供することである。
【課題を解決するための手段】
【０００９】
本発明の携帯端末は、電流の供給を受けて光を出射する発光手段と、前記発光手段によって出射され、物体によって反射された光を受光し、受光した光量に応じた電流を発生する受光手段と、自端末からの発信を示す発信情報を取得した場合、前記受光手段によって発生した電流値との比較の対象となる閾値を前記電流値に応じて更新し、更新した前記閾値と前記電流値との大小比較を行い、比較結果に基づいて、ユーザの近接を検知するセンサ制御手段と、を具備する構成を採る。
【００１０】
本発明の携帯端末は、電流の供給を受けて光を出射する発光手段と、前記発光手段によって出射され、物体によって反射された光を受光し、受光した光量に応じた電流を発生する受光手段と、自端末への着信を示す着信情報を取得した場合、前記受光手段によって発生した電流値との比較の対象となる閾値を前記電流値に応じて更新し、更新した前記閾値と前記電流値との大小比較を行い、比較結果に基づいて、ユーザの近接を検知するセンサ制御手段と、を具備する構成を採る。
【００１１】
本発明の近接センサは、電流の供給を受けて光を出射する発光手段と、前記発光手段によって出射され、物体によって反射された光を受光し、受光した光量に応じた電流を発生する受光手段と、携帯端末からの発信又は前記携帯端末への着信を示す発着信情報を取得した場合、前記受光手段によって発生した電流値との比較の対象となる閾値を前記電流値に応じて更新し、更新した前記閾値と前記電流値との大小比較を行い、比較結果に基づいて、ユーザの近接を検知するセンサ制御手段と、を具備する構成を採る。
【発明の効果】
【００１２】
本発明によれば、フロアーノイズが変化した場合においても、ユーザの近接を正確に検知することができる。
【図面の簡単な説明】
【００１３】
【図１】本発明の一実施の形態に係る携帯電話の構成を示すブロック図
【図２】図１に示した近接センサの内部構成を示すブロック図
【図３】図２に示したセンサ制御部の制御手順を示すフロー図
【図４】２つの閾値を用いた場合のユーザ近接検知の条件を示す図
【発明を実施するための形態】
【００１４】
以下、本発明の実施の形態について、図面を参照して詳細に説明する。
【００１５】
（一実施の形態）
図１は、本発明の一実施の形態に係る携帯電話１００の構成を示すブロック図である。以下、図１を用いて携帯電話の構成について説明する。
【００１６】
表示部（液晶タッチパネル）１１０は、各種情報を表示すると共に、ユーザから入力指示を受け付ける。
【００１７】
マイク（送話部）１２０ａは、ユーザの音声を送話音声信号に変換して、音声処理部１３０に出力する。レシーバ（受話部）１２０ｂは、音声処理部１３０からの受話音声信号に基づいて、通話相手からの受話音声を出力する。
【００１８】
音声処理部１３０は、制御部１８０により制御されて、無線部１４０からの復調信号を受話音声信号に変換して、イヤホンマイク端子１２０ｄを介してイヤホン１２０ｃから、或いはレシーバ１２０ｂから出力させる一方、マイク１２０ａからの送話音声信号を送信信号に変換して、無線部１４０に出力する。
【００１９】
無線部１４０は、アンテナ１４５を介して受信した受信信号を復調信号に変換して音声処理部１３０に出力する一方、音声処理部１３０からの送信信号を変調して変調信号をアンテナ１４５を介して送信する。
【００２０】
電池１５０は、音声処理部１３０、無線部１４０、メモリ１６０、近接センサ１７０及び制御部１８０の各々に電力を供給する。メモリ１６０は、制御部１８０のコンピュータプログラム等を保持する。
【００２１】
近接センサ１７０は、携帯電話１００の発信及び着信のたびにフロアーノイズを測定し、キャリブレーションを行ってから、ユーザの近接を検知し、検知情報を制御部１８０に出力する。
【００２２】
制御部１８０は、電池１５０からの電力の供給を受け、表示部１１０、音声処理部１３０、無線部１４０、メモリ１６０及び近接センサ１７０との間で情報の入出力を行って、これら各部を制御する。特に、制御部１８０は、近接センサ１７０からユーザの近接を示す検知情報が入力された場合、表示部１１０に対して、タッチパネルの機能をオフにするよう制御する。このとき、表示部１１０の表示もオフにするよう制御してもよい。
【００２３】
図２は、図１に示した近接センサ１７０の内部構成を示すブロック図である。以下、図２を用いて近接センサ１７０の構成について説明する。
【００２４】
発光部２１０は、センサ制御部２５０からの電流の供給を受けて赤外線を発光する赤外ＬＥＤ（Light Emitting Diode）である。
【００２５】
受光部２２０は、発光部２１０から発光され、ユーザ等の物体によって反射された赤外線を受光し、光電変換によって、受光した光の量に応じた電流を発生させる。発生した電流はＡＤ変換部２３０に出力される。
【００２６】
ＡＤ変換部２３０は、受光部２２０から出力された電流をＡＤ変換し、デジタル信号で表された電流値をセンサ制御部２５０に出力する。
【００２７】
閾値記憶部２４０には、予め所定の閾値が記憶されており、記憶された閾値がセンサ制御部２５０に読み出される一方、センサ制御部２５０によって、記憶された閾値が更新される。
【００２８】
センサ制御部２５０は、携帯端末１００からの発信又は携帯端末１００への着信を示す発着信情報が制御部１８０から入力されるたびに、発光部２１０に電流を供給して発光させる。このとき、センサ制御部２５０は、ＡＤ変換部２３０から出力された電流値に応じて、新たな閾値を生成して、閾値記憶部２４０に記憶させる閾値更新を行う。この一連の処理をキャリブレーションという。キャリブレーションを行ったセンサ制御部２５０は、ＡＤ変換部２３０から出力された電流値と、閾値記憶部２４０から読み出した閾値（閾値が更新されていれば、その閾値）との大小比較を行い、比較結果に基づいて、ユーザの近接を検知する。ユーザの近接を検知した場合には、センサ制御部２５０は検知情報を制御部１８０に出力する。
【００２９】
このように、携帯電話の発着信があった場合に近接センサのキャリブレーションを行うことにより、種々の要因、すなわち、工場出荷前の調整工程での様々な外的要因、内部構造の経年変化、高反射及び低反射の差分、保護シート貼付等のユーザカスタマイズなどによってフロアーノイズが変化した場合でも、ユーザの近接を正確に検知することができる。
【００３０】
次に、図２に示したセンサ制御部２５０の制御手順について図３を用いて説明する。図３において、ステップ（以下、「ＳＴ」という）３０１では、制御部１８０から発着信情報を取得したか否かを判定し、発着信情報を取得した場合にはＳＴ３０２に移行し、発着信情報を取得していない場合にはＳＴ３０１に戻る。
【００３１】
ＳＴ３０２では、発光部２１０に電流を供給して発光させ、ＳＴ３０３では、ＡＤ変換部２３０から出力された電流値に応じて、新たな閾値を生成して、閾値記憶部２４０に記憶させる閾値更新を行う。ＳＴ３０１〜ＳＴ３０３は、携帯電話の発着信があった場合、すなわち、近接センサ１７０を起動する際、近接センサ１７０で行われるキャリブレーション処理を示している。
【００３２】
ＳＴ３０４では、発光部２１０に電流を供給して発光させ、ＳＴ３０５では、ＡＤ変換部２３０から出力された電流値と、閾値記憶部２４０から読み出した閾値との大小比較を行い、電流値が閾値以上か否かを判定し、電流値が閾値以上である場合にはＳＴ３０６に移行し、電流値が閾値未満である場合にはＳＴ３０７に移行する。
【００３３】
ＳＴ３０６では、ユーザの近接を検知したと判断し、検知情報を制御部１８０に出力し、ＳＴ３０７では、ユーザの近接なしと判断し、センサ制御部２５０の制御手順を終了する。
【００３４】
このように、本実施の形態によれば、携帯電話の発着信のたびに、近接センサのキャリブレーションを行うことにより、種々の要因によってフロアーノイズが変化した場合でも、ユーザの近接を正確に検知することができる。
【００３５】
なお、本実施の形態では、電流値と比較する閾値を１つとする場合について説明したが、本発明はこれに限らず、閾値を２つ用いてもよい。例えば、図４に示すように、閾値ｔｈ１と閾値ｔｈ２（＜ｔｈ１）とすると、電流値が閾値ｔｈ１以上の場合には、センサ制御部はユーザの近接を検知したと判断し、電流値が閾値ｔｈ２未満の場合には、センサ制御部はユーザの近接なしと判断する。電流値が閾値ｔｈ１未満かつ閾値ｔｈ２以上の場合には、判断を留保する。これにより、タッチパネル機能のオン／オフが頻繁に切り替わることを防止することができる。
【産業上の利用可能性】
【００３６】
本発明にかかる携帯端末及び近接センサは、フロアーノイズが変化した場合においても、ユーザの近接を正確に検知するのに好適である。
【符号の説明】
【００３７】
１１０  表示部
１２０ａ  マイク
１２０ｂ  レシーバ
１２０ｃ  イヤホン
１２０ｄ  イヤホンマイク端子
１３０  音声処理部
１４０  無線部
１４５  アンテナ
１５０  電池
１６０  メモリ
１７０  近接センサ
１８０  制御部
２１０  発光部
２２０  受光部
２３０  ＡＤ変換部
２４０  閾値記憶部
２５０  センサ制御部
【図１】
2013118565.tif 000003
【図２】
2013118565.tif 000004
【図３】
2013118565.tif 000005
【図４】
2013118565.tif 000006